(57)【要約】【課題】電話機等の音声入力手段から音声による指示を行うことにより、コンテンツデータを所定の出力装置に出力させるようにする。【解決手段】電話機１がユーザから受け取ったアナログ音声データは、電話局２を介して第１の変換装置３に送られる。第１の変換装置３では、入力したアナログ音声データをデジタル音声データに変換する。デジタル音声データは、第２の変換装置７に入力し、ここで音声認識が行われて、制御装置８による解釈が可能な命令に変換される。制御装置８は、第２の変換装置７から出力された命令を受け取って、その命令に従ってコンテンツ提供手段５を操作し、命令に指定されたコンテンツをコンテンツ提供手段５から提供させ、出力手段６から出力させる。【選択図】　　　　図１
2004096222.tif 000002
【特許請求の範囲】
【請求項１】
アナログ音声を入出力する音声入出力手段と、アナログ音声とデジタルデータを相互に変換する第１の変換手段と、該第１の変換手段からのデジタルデータを認識して命令信号を出力する第２の変換手段と、コンテンツを提供するコンテンツ提供手段と、該コンテンツ提供手段から提供されたコンテンツデータを出力する出力手段と、前記第１及び第２の変換手段，前記コンテンツ提供手段，及び出力手段を制御する制御手段とを有し、各前記手段の少なくとも複数がネットワークを介して相互に接続されたデータ出力システムであって、前記制御手段は、前記第２の変換手段から出力されたコンテンツの出力を命令する命令信号を入力し、該命令信号に従って前記コンテンツ提供手段を操作し、該コンテンツ提供手段から該当するコンテンツを前記出力手段に出力させることを特徴とするデータ出力システム。
【請求項２】
請求項１に記載のデータ出力システムにおいて、前記第２の変換手段は、入力したコンテンツデータを音声合成してデジタル音声データとして前記第１の変換手段に出力する機能を更に備え、前記デジタルデータの命令に従って、予め蓄積されているコンテンツデータの一部を問い合わせする命令が前記音声入出力手段から入力した際、前記制御手段は、前記コンテンツ提供手段を操作して出力可能なコンテンツの一覧情報を出力させ、前記第２の変換手段は、該一覧情報を受け取ってデジタル音声データとして合成し、前記第１の変換手段は、前記一覧情報をアナログ音声に変換し、前記音声入出力手段は、該アナログ音声を音声出力させることにより、出力可能なコンテンツをユーザに通知し、ユーザが音声入出力手段に対してコンテンツ出力を要求する命令を入力した際、前記制御手段は、前記命令に基づいて前記第２の変換手段から出力されたデジタルデータに従って前記コンテンツ提供手段を操作し、該コンテンツ提供手段から該当するコンテンツを前記出力手段に出力させることを特徴とするデータ出力システム。
【請求項３】
請求項１または２に記載のデータ出力システムにおいて、前記コンテンツ出力を要求する命令は、他のデジタルデータ入力手段から前記制御手段が解釈可能な形態で入力可能としたことを特徴ととするデータ出力システム。
【請求項４】
請求項１ないし３のいずれか１に記載のデータ出力システムにおいて、前記コンテンツ提供手段は、コンテンツデータを蓄積する蓄積手段及び電子データの受信手段を備え、電子データとして受信したコンテンデータを前記蓄積手段に蓄積し、前記制御装置の操作に従って、蓄積したコンテンツデータを取り出して出力する特徴とするデータ出力システム。
【発明の詳細な説明】
【０００１】
【発明の属する技術分野】
本発明は、データ出力システムに関し、情報通信端末に対してインターネットを介してコンテンツ配信を行うシステムに適用可能なデータ出力システムに関する。
【０００２】
【従来の技術】
送信された電子メールやファクシミリなどを、本来の送信先とは異なる場所から取り出す技術がある。このような従来の技術は、パーソナルコンピュータやブラウザフォンなど、インターネットに接続できる端末を必要とする。また、例えば、特開２０００−０２０４２２号公報に開示されたメールアクセスシステムでは、インターネットに接続できない電話機からも電子メールを取り出すことができるが、上記公報のシステムでは、取り出すことができるものは電子メールかボイスメールに限られており、ファクシミリやそれ以外のインターネット上のコンテンツは取り出すことができない。
【０００３】
【発明が解決しようとする課題】
本発明は、上述のごとき実情に鑑みてなされたもので、インターネット等のネットワークに直接接続する機能を持たない電話機等の音声入力手段から、音声による指示を行うことにより、電子メールやファクシミリを手元のファクシミリやプリンタに出力させることを可能とするデータ出力システムを提供することを目的とするものである。
【０００４】
【課題を解決するための手段】
請求項１の発明は、アナログ音声を入出力する音声入出力手段と、アナログ音声とデジタルデータを相互に変換する第１の変換手段と、該第１の変換手段からのデジタルデータを認識して命令信号を出力する第２の変換手段と、コンテンツを提供するコンテンツ提供手段と、該コンテンツ提供手段から提供されたコンテンツデータを出力する出力手段と、前記第１及び第２の変換手段，前記コンテンツ提供手段，及び出力手段を制御する制御手段とを有し、各前記手段の少なくとも複数がネットワークを介して相互に接続されたデータ出力システムであって、前記制御手段は、前記第２の変換手段から出力されたコンテンツの出力を命令する命令信号を入力し、該命令信号に従って前記コンテンツ提供手段を操作し、該コンテンツ提供手段から該当するコンテンツを前記出力手段に出力させることを特徴としたものである。
【０００５】
請求項２の発明は、請求項１の発明において、前記第２の変換手段は、入力したコンテンツデータを音声合成してデジタル音声データとして前記第１の変換手段に出力する機能を更に備え、前記デジタルデータの命令に従って、予め蓄積されているコンテンツデータの一部を問い合わせする命令が前記音声入出力手段から入力した際、前記制御手段は、前記コンテンツ提供手段を操作して出力可能なコンテンツの一覧情報を出力させ、前記第２の変換手段は、該一覧情報を受け取ってデジタル音声データとして合成し、前記第１の変換手段は、前記一覧情報をアナログ音声に変換し、前記音声入出力手段は、該アナログ音声を音声出力させることにより、出力可能なコンテンツをユーザに通知し、ユーザが音声入出力手段に対してコンテンツ出力を要求する命令を入力した際、前記制御手段は、前記命令に基づいて前記第２の変換手段から出力されたデジタルデータに従って前記コンテンツ提供手段を操作し、該コンテンツ提供手段から該当するコンテンツを前記出力手段に出力させることを特徴としたものである。
【０００６】
請求項３の発明は、請求項１または２の発明において、前記コンテンツ出力を要求する命令は、他のデジタルデータ入力手段から前記制御手段が解釈可能な形態で入力可能としたことを特徴としたものである。
【０００７】
請求項４の発明は、請求項１ないし３のいずれか１の発明において、前記コンテンツ提供手段は、コンテンツデータを蓄積する蓄積手段及び電子データの受信手段を備え、電子データとして受信したコンテンデータを前記蓄積手段に蓄積し、前記制御装置の操作に従って、蓄積したコンテンツデータを取り出して出力する特徴としたものである。
【０００８】
【発明の実施の形態】
図１は、本発明によるデータ出力システムの第１の実施例を説明するための図で、１は音声入出力手段である電話機、２は電話局、３はアナログ音声とデジタル音声データとを相互に変換する第１の変換装置、４はネットワーク、５はコンテンツを提供するためのコンテンツ提供手段、６はコンテンツ提供手段から提供されたコンテンツデータ等を出力する出力装置、７は第１の変換装置３からの音声データを認識して命令信号を出力し、またコンテンツ提供手段５から提供されたコンテンツデータを音声合成してデジタル音声データとして第１の変換装置３に出力する第２の変換装置、８は本システムに係わる各部を制御する制御装置である。
【０００９】
本発明のデータ出力システムにより、ユーザは、所定の出力装置６に対するコンテンツの出力の命令、もしくは出力可能なコンテンツを問い合わせる命令を、電話機等の音声入出力手段に入力することにより、コンテンツ提供手段６からコンテンツを出力させて所定の出力手段６に出力させる処理や、コンテンツの一覧を音声によって読み上げさせる処理を実行することができる。
【００１０】
電話機１は、電話局２を経由し、第１の変換装置３を介してネットワーク４へのアクセスが可能である。なお電話機１には、固定または携帯電話を用いることができる。デジタル音声データと命令の変換のルールを記述したスクリプト、もしくはプログラムは、第２の変換装置７上にあっても、制御装置８上にあるものを第２の変換装置７がその都度取りに行っても構わない。また、第１の変換装置３や第２の変換装置７は、制御装置８と別に構成されているが、これらは制御装置８に内蔵されていても構わない。制御装置８は、命令に従いコンテンツ提供手段５にアクセスし、コンテンツの内容の一部や付帯情報によるコンテンツの一覧情報を音声合成して電話機１から出力させたり、また要求されたコンテンツデータを出力手段６から出力させる制御を行う。出力手段６としては、ファクシミリ装置、プリンタ装置、ｅ−ｍａｉｌを受信可能な情報端末装置等が挙げられる。コンテンツ提供手段５は、制御装置８の制御に従って、ネットワーク上の資源に保持されたコンテンツを取り出して出力させる。
【００１１】
図２は、上記のごとくの本発明のデータ出力システムにおけるデータの流れの一例を説明するための図である。まず、電話機１がユーザから受け取ったアナログ音声データ１１は、電話局２を介して第１の変換装置３に送られる。第１の変換装置３では、入力したアナログ音声データ１１をデジタル音声データ１２に変換する。デジタル音声データ１２は、第２の変換装置７に入力し、ここで音声認識が行われて、制御装置８による解釈が可能な命令１３に変換される。制御装置８は、第２の変換装置７から出力された命令１３を受け取って、その命令に従ってコンテンツ提供手段５を操作し、命令１３に指定されたコンテンツをコンテンツ提供手段５から提供させ、出力手段６からの出力１５を実行させる。
【００１２】
図３は、本発明のデータ出力システムにおけるデータの流れの他の例を説明するための図である。ユーザは、提供可能なコンテンツを問い合わせする命令、すなわちコンテンツ内容の一部やインデックス等の付帯情報によるコンテンツの一覧情報の要求に関する命令を電話機１に対して音声入力する。電話機１は、このようなアナログ音声データ２１を受け取り、電話局２を介して第１の変換装置３に送る。なお、このとき命令を、ＤＴＭＦ信号によって第１の変換装置３に送信するようにしてもよい。
【００１３】
第１の変換装置３では、入力したアナログ音声２１をデジタル音声データ２２に変換する。デジタル音声データ２２は、第２の変換装置７に入力し、ここで音声認識が行われて、制御装置８による解釈が可能な命令２３に変換される。また上記のＤＴＭＦ信号による命令の場合も、制御装置８による解釈が可能な命令に変換される。制御装置８は、第２の変換装置７から出力された命令２３を受け取って、その命令２３に従ってコンテンツ提供手段５の操作２４を行い、蓄積装置に蓄積されているコンテンツの一部や付帯情報によるコンテンツ一覧情報２５を取り出す。
【００１４】
制御装置８は、取り出されたコンテンツ一覧情報２５を第２の変換装置７が解釈可能な形態に変換し、第２の変換装置７に送る。第２の変換装置７は、送られた情報からデジタル音声データ２６を合成する。第２の変換装置７で合成されたデジタル音声データ２６は、第１の変換装置３に入力し、アナログ音声データ２７に変換されて、電話局２を介して電話機１に送信され、ユーザに対してコンテンツ一覧情報が音声により読み上げられる。
【００１５】
ユーザは、読み上げられた情報を基に、出力すべきコンテンツや出力先を判断し、再び電話機１から制御装置８に命令を伝え、出力装置６から所望のコンテンツを出力させる。このときのコンテンツの出力命令１０は、上述した図２に示す処理と同様であるので、その説明は省略する。
【００１６】
図４は、本発明のデータ出力システムの他の実施例を説明するための図で、コンテンツ提供手段５に蓄積装置５ａ及び受信装置５ｂが備えられた構成を示すものである。また図４において、図１と同様の機能を有する要素には、図１と同じ符号を付し、その繰り返しの説明は省略する。
【００１７】
受信装置５ｂは、ｅ−ｍａｉｌやファクシミリなどが受信可能な装置である。コンテンツ提供手段５は、受信装置５ｂが受信したｅ−ｍａｉｌやファクシミリなどの電子データを蓄積装置５ａに蓄積する。そして出力可能なコンテンツの問い合わせ要求や、コンテンツデータの出力要求が制御装置８からあった場合に、蓄積装置５ａに蓄積されているデータを用いて、入力した要求に対応するデータを提供する。
【００１８】
【発明の効果】
以上の説明から明らかなように、本発明によれば、インターネット等のネットワークに直接接続する機能を持たない電話機等の音声入力手段から、音声による指示を行うことにより、電子メールやファクシミリを手元のファクシミリやプリンタに出力させることができるようになる。
また、本発明によれば、蓄積されている電子データの内容やその一部を音声出力させて確認し、その内容に応じてコンテンツの出力指示を行うことが可能になり、また電話機であればＤＴＭＦなどの信号によってもその指示を行うことが可能となる。
また、本発明によれば、ファクシミリやｅ−ｍａｉｌによりコンテンツ提供手段に受信した電子データを、音声による指示を行うことにより手元のファクシミリやプリンタに出力させることが可能となる。
【図面の簡単な説明】
【図１】本発明によるデータ出力システムの第１の実施例を説明するための図である。
【図２】本発明のデータ出力システムにおけるデータの流れの一例を説明するための図である。
【図３】本発明のデータ出力システムにおけるデータの流れの他の例を説明するための図である。
【図４】本発明のデータ出力システムの他の実施例を説明するための図である。
【符号の説明】
１…電話機、２…電話局、３…第１の変換装置、４…ネットワーク、５…コンテンツ提供手段、５ａ…蓄積装置、５ｂ…受信装置、６…出力装置、７…第２の変換装置、８…制御装置。
【図１】
2004096222.tif 000003
【図２】
2004096222.tif 000004
【図３】
2004096222.tif 000005
【図４】
2004096222.tif 000006